(57)【特許請求の範囲】
【請求項１】
料理の各材料の基本重量を料理毎に材料データとして記憶し、１つの料理についての該材料データに基づき、料理の材料の目標重量を表示部に表示すると共に、計量皿上に載せられた料理の材料を計量する料理用秤であって、
前記表示部に表示されている料理の材料の内で、一の材料を選択するための材料選択手段と、
前記材料選択手段で選択された一の材料の計量値を記憶するように指示する計量継続指示手段と、
前記計量継続指示手段による指示がある度に前記一の材料の重量を計量し、前記計量値を加算して記憶する計量継続手段と、
前記材料データ中の他の材料の目標重量を算出するように指示する算出決定指示手段と、
前記算出決定指示手段での指示に応じて、前記計量継続手段に記憶された計量値と、前記材料データ中の各材料の基本重量とに基づき、一の材料の重量に応じた他の材料の目標重量を算出する目標重量算出手段と、
該目標重量算出手段により算出された他の材料の目標重量を、前記表示部上に表示させる目標重量表示制御手段と
を備えたことを特徴とする料理用秤。
【請求項２】
前記目標重量表示制御手段は、料理についての他の材料の目標重量を、一覧形式で、前記表示部上に表示させることを特徴とする請求項１に記載の料理用秤。
【請求項３】
料理についての複数の他の材料を１つずつ順に切り替えるように指示する切替指示手段を備え、
前記目標重量表示制御手段は、該切替指示手段での指示に応じて切り替えられた他の材料の目標重量を、前記表示部上に表示させることを特徴とする請求項１に記載の料理用秤。
【請求項４】
前記材料データに基づき、複数の料理を前記表示部上に表示させる料理表示制御手段と、
該料理表示制御手段により表示されている料理の内で１つの料理を選択するための料理選択手段と、
該料理選択手段により選択された料理についての前記材料データに基づき、該料理の材料を前記表示部上に表示させる材料表示制御手段とを備え、
前記材料選択手段は、ユーザに、該材料表示制御手段により前記表示部上に表示されている料理の材料の内で、一の材料を選択させることを特徴とする請求項１乃至請求項３のいずれか一項に記載の料理用秤。
【請求項５】
各材料の計量に先立ち材料を入れる容器が前記計量皿上に載せられた状態で、重量の計量について０点設定を行うように指示する０点設定指示手段と、
該０点設定指示手段による指示に応じて、前記０点設定を行う０点設定手段とを備えたことを特徴とする請求項１乃至請求項４のいずれか一項に記載の料理用秤。
【請求項６】
料理の各材料の基本重量を料理毎に材料データとして記憶し、１つの料理についての該材料データに基づき、料理の材料の目標重量を表示部に表示すると共に、計量皿上に載せられた料理の材料を計量する料理用秤における材料表示方法であって、
前記表示部に表示されている料理の材料の内で、一の材料を選択するステップと、
選択された一の材料が計量される度にその計量値を加算して記憶するステップと、
記憶された計量値と、前記材料データ中の各材料の基本重量とに基づき、一の材料の重量に応じた他の材料の目標重量を算出するステップと、
算出された他の材料の目標重量を前記表示部上に表示させるステップと
を備えたことを特徴とする材料表示方法。
【発明の詳細な説明】
【技術分野】
【０００１】
本発明は、計量皿上に載せられた料理の材料を計量する料理用秤に係り、料理の各材料の基本重量を料理毎に材料データとして記憶し、１つの料理についてのこの材料データに基づき、料理の材料の目標重量を表示部に表示することが可能な料理用秤に関する。
【背景技術】
【０００２】
従来から知られたこの種のキッチンスケールの一つでは、ユーザが、所望の料理の食数を入力すると、その食数に応じた材料の目標重量が表示されるようになっている（特許文献１参照）。即ち、料理の一人分の材料の目標重量（基本となる重量）が、予め記憶されていて、ユーザが、食数を例えば五人分と入力すると、各材料の目標重量が５倍されて表示されていた。
【０００３】
【特許文献１】特開２００１−１２９９５（図１２，１３及び段落００２５，００３０等）
【発明の開示】
【発明が解決しようとする課題】
【０００４】
しかしながら、従来のキッチンスケールでは、例えば、漬物などでその主材料が先にあって、ユーザが主材料の全量を用いたいといった場合、他の材料の目標重量を知ろうとすると、その操作手順は煩雑なものになった。つまり、ユーザは、（１）その主材料を先ず計量して、（２）その主材料の計量値と、一人分の目標重量とから食数を求めて、（３）その後に、食数を入力するといった手順によらなければ、副材料等の他の材料の目標重量を知ることができなかった。
【０００５】
本発明の目的は、このような課題を解決することができる料理用秤等を提供することである。
【課題を解決するための手段】
【０００６】
請求項１に係る料理用秤は、料理の各材料の基本重量を料理毎に材料データとして記憶し、１つの料理についての該材料データに基づき、料理の材料の目標重量を表示部に表示すると共に、計量皿上に載せられた料理の材料を計量する料理用秤であって、前記表示部に表示されている料理の材料の内で、一の材料を選択するための材料選択手段と、前記材料選択手段で選択された一の材料の計量値を記憶するように指示する計量継続指示手段と、前記計量継続指示手段による指示がある度に前記一の材料の重量を計量し、前記計量値を加算して記憶する計量継続手段と、前記材料データ中の他の材料の目標重量を算出するように指示する算出決定指示手段と、前記算出決定指示手段での指示に応じて、前記計量継続手段に記憶された計量値と、前記材料データ中の各材料の基本重量とに基づき、一の材料の重量に応じた他の材料の目標重量を算出する目標重量算出手段と、該目標重量算出手段により算出された他の材料の目標重量を、前記表示部上に表示させる目標重量表示制御手段とを備えたことを特徴とする。
請求項２に係る料理用秤は、請求項１に係る料理用秤において、前記目標重量表示制御手段は、料理についての他の材料の目標重量を、一覧形式で、前記表示部上に表示させることを特徴とする。
請求項３に係る料理用秤は、請求項１に係る料理用秤において、料理についての複数の他の材料を１つずつ順に切り替えるように指示する切替指示手段を備え、前記目標重量表示制御手段は、該切替指示手段での指示に応じて切り替えられた他の材料の目標重量を、前記表示部上に表示させることを特徴とする。
請求項４に係る料理用秤は、請求項１乃至請求項３のいずれか一項に係る料理用秤において、前記材料データに基づき、複数の料理を前記表示部上に表示させる料理表示制御手段と、該料理表示制御手段により表示されている料理の内で１つの料理を選択するための料理選択手段と、該料理選択手段により選択された料理についての前記材料データに基づき、該料理の材料を前記表示部上に表示させる材料表示制御手段とを備え、前記材料選択手段は、ユーザに、該材料表示制御手段により前記表示部上に表示されている料理の材料の内で、一の材料を選択させることを特徴する。
請求項５に係る料理用秤は、請求項１乃至請求項４のいずれか一項に係る料理用秤において、各材料の計量に先立ち材料を入れる容器が前記計量皿上に載せられた状態で、重量の計量について０点設定を行うように指示する０点設定指示手段と、該０点設定指示手段による指示に応じて、前記０点設定を行う０点設定手段とを備えたことを特徴とする。
請求項６に係る材料表示方法は、料理の各材料の基本重量を料理毎に材料データとして記憶し、１つの料理についての該材料データに基づき、料理の材料の目標重量を表示部に表示すると共に、計量皿上に載せられた料理の材料を計量する料理用秤における材料表示方法であって、前記表示部に表示されている料理の材料の内で、一の材料を選択するステップと、選択された一の材料が計量される度にその計量値を加算して記憶するステップと、記憶された計量値と、前記材料データ中の各材料の基本重量とに基づき、一の材料の重量に応じた他の材料の目標重量を算出するステップと、算出された他の材料の目標重量を前記表示部上に表示させるステップとを備えたことを特徴とする。
【発明の効果】
【０００７】
本発明によると、ユーザは、所望の料理のための複数の材料の内の一つの材料を選んで、計量皿に載せるだけで、その料理における他の材料の目標重量が、自動的に算出されて表示されるため、ユーザの利便性が向上している。
【発明を実施するための最良の形態】
【０００８】
以下、本発明に係る実施の形態を、図面を参照しつつ説明する。
（最良の実施の形態）
本発明の最良の実施の形態である料理用秤について説明する。図１に示すように、この料理用秤１は、その上面側に計量皿１１を有しており、この計量皿１１上に載せられた計量対象物、例えばジャガイモや鶏肉などの食材は、図２の計量部１２により計量される。この計量部１２は、周知のロードセルを用いたものであり、計量部１２では、一例として、４つの歪みゲージが、計量皿１１を支える支持棒の異なる位置に接着され、これら４つの歪みゲージが、ホイートストンブリッジ回路を構成するようになっている。
【０００９】
制御部２０は、料理用秤１の全体の動作を制御するものであって、上記計量部１２のホイートストンブリッジ回路における電圧の変化により、計量皿１１上の計量対象物の重量を計量可能になっている。この制御部２０は、同図２のように、増幅器２１、Ａ／Ｄ変換器２２、マイクロプロセッサ２３、ＲＯＭ２４、ＲＡＭ２５及びＥＥＰＲＯＭ２６などからなる。
【００１０】
増幅器２１は、計量部１２で生成された、計量値を表す電圧信号を増幅し、Ａ／Ｄ変換器２２は、この増幅されたアナログの電圧信号を、マイクロプロセッサ２３での処理が可能になるように、デジタル信号へと変換する。
【００１１】
マイクロプロセッサ２３は、電源がオンされて本料理用秤１が起動されると、料理のレシピの表示（料理の材料の重量の表示）、計量対象物の計量等に係る所定のプログラムをＲＯＭ２４からＲＡＭ２５上へと読み出し実行するようになっている。ＥＥＰＲＯＭ２６は、料理の各材料の重量を料理毎に表す材料データ等を記憶する。
【００１２】
１つの料理についての材料データは、レシピの表示等に用いられるものであり、その料理の料理名、料理に用いられる材料の材料名、及び、各材料の基本重量を含んでいる。この各材料の基本重量は、例えば、その料理の一人分に相当する各材料の分量である。料理の一例を挙げると、辛子漬けについて、その料理名は「カラシヅケ」であり、材料名及びその基本重量は、「キュウリ  1000g」、「辛子  50g」、「砂糖  135g」、「塩  50g」、「みりん  30g」である。これらが材料データとして登録され記憶されるようになっている。
【００１３】
表示部３０は、液晶ディスプレイであり、計量対象物の計量値、料理の材料の目標重量、ユーザへの操作ガイダンス等を表示するようになっている。操作部４０には、前図１のように、電源キー４１、テンキー４２ａ〜ｊ、決定キー４３、戻るキー４４、カーソル移動キー４５ａ〜ｄ、風袋引きキー４６、及び、モード選択キー４７が設けられている。
【００１４】
電源キー４１は、ユーザがこの料理用秤１の電源をオン／オフするためのキーである。テンキー４２ａ〜ｊは、ユーザが数値を入力するためのキーであり、決定キー４３は、ユーザが入力を決定（確定）するためのキーである。戻るキー４４は、一連の入力操作が行われている際に、表示部３０に前画面を表示させるためのキーである。カーソル移動キー４５ａ〜ｄは、表示部３０内に表示されたカーソルを上下左右に移動させるためのキーであり、風袋引きキー４６は、風袋引きにより、重量の計量につき０点設定を行うように指示するためのキーである。
【００１５】
特に、この料理用秤１では、ユーザがカタカナを入力可能になっている。このカタカナ入力は、テンキー４２ａ〜ｊ及び決定キー４３等を組み合わせて用いたり、表示部３０上への所定のソフトウェアキーボードの表示を伴わせつつカーソル移動キー４５ａ〜ｄ及び決定キー４３等を組み合わせて用いたりすることにより行われる。
【００１６】
モード選択キー４７は、ユーザが（１）レシピ登録モード、（２）レシピ表示モード、（３）レシピ順次計量モード、及び、（４）はかりモードのいずれか１つの動作モードを選択的に指示するためのキーである。即ち、ユーザがこのモード選択キー４７を押すことにより、表示部３０上に、図３に示すモード選択画面が表示されるようになっている。このモード選択画面で、ユーザがカーソル移動キー４５ａ，ｂを押すことにより、カーソルＣを上下に移動させ、所望の動作モードの左側にカーソルＣが表示されている状態で、決定キー４３を押すことにより、動作モードが選択される（選択が入力される）。本料理用秤１の主要な特徴は、レシピ表示モード及びレシピ順次計量モードにおける動作である。
【００１７】
（１）レシピ登録モードは、ユーザが料理用秤１に料理の各材料の基本重量を登録するための動作モードである。即ち、料理用秤１では、このレシピ登録モードにおいて、ユーザが頻繁に調理する料理等の種々の料理につき、料理毎の材料データの登録が受け付けられ、登録された材料データに基づいて、レシピ表示モード又はレシピ順次計量モードが実行されるようになっている。
【００１８】
モード選択画面（同図３）において、レシピ登録モードが選択されると、先ず、表示部３０上に、「料理名を入力してください」といったガイダンス表示が行われ、料理名の入力が促される（図４（ａ））。先述の辛子漬けの例であれば、ユーザが、操作部４０から、テンキー４２ａ〜ｊ及び決定キー４３等を用いて、「カラシヅケ」と入力しその入力を決定すると、続いて、材料名とその材料の基本重量との入力が順次受け付けられていく。
【００１９】
この材料名と基本重量との入力において、具体的には、先ず、表示部３０上に、「材料名を入力してください」といったガイダンス表示が行われ、調理される材料の内の１つの材料の材料名の入力が促される（図４（ｂ））。ユーザが、操作部４０から、「キュウリ」と入力してこの入力を決定すると、次に、「重さを入力してください」といったガイダンス表示により、その材料「キュウリ」の基本重量の入力が促される。
【００２０】
このガイダンス表示に応じて、ユーザが、「1000」と入力すると、他の材料についても、同様に、その材料名及び基本重量の入力が行われていく。他の材料の１つ、ここでは「カラシ」について材料名及び基本重量の入力が決定されると（図４（ｃ））、これ以外の他の材料についても、順次、表示部３０への同様の表示を伴いながら、ユーザが操作部４０から入力を行っていく。
【００２１】
全ての材料につき材料名及びその基本重量の入力が完了して、例えば戻るキー４４の押下などの所定のキー操作が行われると、１つの料理についての材料データの登録が完了する。この材料データの登録と共に、登録された料理の材料について、材料名と基本重量とが、表示部３０上に一覧形式で表示される（図４（ｄ））。
【００２２】
（２）レシピ表示モードは、料理用秤１が、レシピ登録モードで登録された料理の内の１つの料理について、その料理の材料の内の１つの材料の計量に基づき、他の材料の目標重量を表示する動作モードである。このレシピ表示モードでは、材料の目標重量は一覧形式で表示されるようになっている（後述する図５（ｅ））。
【００２３】
モード選択画面（図３）においてレシピ表示モードが選択されると、表示部３０上に「料理名を選択してください」といったガイダンス表示が行われる共に、レシピ登録モードで登録された料理の一覧が表示される。例えば、図５（ａ）では、登録済みの料理の料理名として、「ニクジャガ」、「カラシヅケ」、「オデン」、「クッキー」、「キムチ」が、表示部３０上に表示されている。これらの表示により、ユーザに対し、登録済みの複数の料理の内で１つの料理を選択することが促されている。
【００２４】
ユーザが、カーソル移動キー４５ａ，ｂを用いて、カーソルＣをこれらの料理の内の「カラシヅケ」の左側にカーソルＣを移動させ、この状態で、ユーザが決定キー４３を押すと、「カラシヅケ」の選択が決定される。
【００２５】
そして、料理が選択されると、表示部３０上には、「主材料を選択してください」といったガイダンスが表示されると共に、選択された料理の材料の一覧が表示される。「カラシヅケ」が選択された例では、図５（ｂ）のように、具体的に、その材料名として、「キュウリ」、「カラシ」、「サトウ」、「シオ」、「ミリン」が、表示部３０上に表示されている。これらの表示により、ユーザに対し、選択された料理の複数の材料の内で、主材料の選択が促されている。
【００２６】
ユーザが、カーソル移動キー４５ａ，ｂを用い、表示部３０内でカーソルＣをこれらの材料の内の「キュウリ」の左側にカーソルＣを移動させ、決定キー４３を押すと、「キュウリ」の選択が決定される。
【００２７】
これらのようにして主材料が決定されると、風袋引きの後に主材料の計量が行われるようになっている。先ず、風袋引きについてであるが、表示部３０上には、「容器をのせてください」といったガイダンスが表示され、計量皿１１上に載せられた容器につき、通常の計量が行われる（図５（ｃ））。辛子漬けの例では、その主材料となるキュウリの計量に際し、その空の容器の計量値が「125g」であることが表示されている。
【００２８】
ここで、ユーザが風袋引きキー４６を押すと、容器が載せられた状態で０点が設定され、続いて、主材料の計量が行われる。主材料の計量では、先ず、「主材料をのせてください。  キュウリ」といったガイダンス表示が表示部３０で行われる（図５（ｄ））。この表示によって、その主材料を計量皿１１上に載せ、主材料を計量することが促されている。ユーザがキュウリを計量皿１１上に載せると、その計量値「826g」が表示される。
【００２９】
この状態でユーザが決定キー４３を押すと、主材料の計量値が決定され、主材料以外の他の全ての材料の目標重量が材料データに基づき算出される。そして、図５（ｅ）のように、表示部３０に、全ての材料について、材料名及び目標重量が一覧形式で表示される。表示部３０の画面中央で、その主材料についての、「キュウリ  826g」との表示以外に、副材料についての、「カラシ  41g」、「サトウ  112g」、「シオ  41g」、「ミリン  25g」といった表示が行われている。
【００３０】
本料理用秤１では、材料一覧のこれら表示を維持しつつ、画面右側で、計量皿１１上に載せられた材料の計量値を表示させることが可能である。所定のキー操作があるまで、料理用秤１では、この表示状態が維持されるようになっており、ユーザは、「カラシ」、「サトウ」、「シオ」、「ミリン」と、適宜各材料の容器につき風袋引きを行いながら、順に各材料を計量していく。
【００３１】
（３）レシピ順次計量モードでも、レシピ表示モードと同様に、登録済みの料理の内の１つの料理について、その料理の材料の内の１つの材料の計量に基づき、他の材料の目標重量が表示される。ここでは、レシピ表示モードと異なり、材料の目標重量が１つずつ順に表示されながら、他の材料の計量が行われるようになっている（後述の図６（ｅ））。
【００３２】
モード選択画面（図３）で、レシピ順次計量モードが選択されると、レシピ表示モードと同様に、料理の選択（図６（ａ））、主材料の選択（図６（ｂ））、主材料計量に先立っての風袋引き（図６（ｃ））、主材料の計量（図６（ｄ））が順に行われていく。主材料の計量時に、ユーザが決定キー４３を押すことにより、その計量値が決定されると、必要に応じ適宜風袋引きが行われながら、副材料の計量が順にガイドされていく。
【００３３】
辛子漬けの例について説明すると、表示部３０の図６（ｄ）に示す画面の表示中に、主材料「キュウリ」の計量値が決定されると、副材料「カラシ」（図６（ｅ））、「サトウ」、「シオ」、「ミリン」の計量が順にガイドされていく。図６（ｅ）では、副材料の一つである「カラシ」について、「カラシを４１ｇのせてください」といったガイダンス表示が行われていると共に、通常の計量動作を行うことが可能になっている。ここでは、表示部３０の画面の右下隅に、その計量値「41g」が表示されている。
【００３４】
この状態でユーザが決定キー４３を押すことにより、次の副材料「シオ」の計量がガイドされるようになっており、ユーザはこの「シオ」を計量皿１１の上に載せて、「シオ」を計量する。全ての副材料につきこれらが繰り返されることにより、全材料の計量が完了する。
【００３５】
（４）はかりモードは、料理用秤１が、計量皿１１上の計量対象物につき通常の計量を行い、その計量値を表示部３０に表示する動作モードである。モード選択画面（図３）で、はかりモードが選択されると、料理用秤１は、通常の秤として機能するようになっている。
【００３６】
先述のように、本料理用秤１の主な特徴は、レシピ表示モード及びレシピ順次計量モードにおける各材料の目標重量の算出及びその表示にある。以下、これらの動作モードでの制御について、より具体的に説明する。
【００３７】
制御部２０（マイクロプロセッサ２３）で実行されるプログラムは、図７に模式的に示す料理表示制御部２０ａ、材料表示制御部２０ｂ、計量値取得部２０ｃ、０点設定部２０ｄ、目標重量算出部２０ｅ及び目標重量表示制御部２０ｆのそれぞれに対応する部分を含んでいる。レシピ表示モード及びレシピ順次計量モードのいずれが選択された場合でも、目標重量表示制御部２０ｆ以外の各部２０ａ〜ｅの動作は同様である。
【００３８】
また、先述のように、レシピ登録モードでは、種々の料理につき材料データが登録されており、材料データ記憶部２０ｇは、これら材料データを記憶している。材料データ記憶部２０ｇは、ＥＥＰＲＯＭ２６内の所定領域としてよい。
【００３９】
各部２１〜２６のそれぞれにつき説明すると、料理表示制御部２０ａは、材料データ記憶部２０ｇ内の材料データに含まれる料理名に基づいて、登録済みの料理の一覧を表示部３０上に表示するように制御する（図５（ａ））。この表示が行われている状態で、ユーザは、操作部４０から（図１のカーソル移動キー４５ａ，ｂ及び決定キー４３等を用いて）、一覧中の料理の内で１つの料理を選択可能である。
【００４０】
材料表示制御部２０ｂは、ユーザが選択した料理についての材料データに含まれる材料名に基づいて、各材料を表示部３０上に表示するように制御する（図５（ｂ））。この表示状態で、ユーザは、操作部４０から、表示中の材料の内の１つの材料を、主材料として選択可能である。
【００４１】
計量値取得部２０ｃは、計量皿１１上の計量対象物につき、計量部１２での計量による計量値を取得し、これを表示部３０の右下隅等に表示するように制御する。（上述のように、計量値を表す信号は、計量部１２（ロードセル）から、増幅器２１及びＡ／Ｄ変換器２２介して、制御部３０へと出力される。）
【００４２】
主材料及びその他の材料の計量に先立ち、材料を入れるための容器が計量皿１１上に載せられ、計量値取得部２０ｃでその計量が行われている状態で（図５（ｃ））、ユーザは、操作部４０から（図１の風袋引きキー４６の押下により）、風袋引きを行うように指示することが可能である。０点設定部２０ｄは、この風袋引きの指示に応じて、０点設定を行うようになっている。風袋引きにより、計量値は「0g」にリセットされる。
【００４３】
ユーザは、材料表示制御部２０ｂでの表示に応じ先に自らが選択した主材料を、計量皿１１上の容器内に収める。上記計量値取得部２０ｃでは、この主材料の重量（計量値）が取得され、目標重量算出部２０ｅは、取得された主材料の重量と、材料データ中の各材料の基本重量とに基づき、主材料の重量に応じた他の各材料の目標重量を算出するようになっている。
【００４４】
例えば、図４（ｄ）のように、「カラシヅケ」についての材料データ中の主材料「キュウリ」の基本重量が「1000g」であり、４つの副材料「カラシ」、「サトウ」、「シオ」、「ミリン」の基本重量が、それぞれ、「50g」、「135g」、「50g」、「30g」であるものとする。この場合、「キュウリ」の計量値が、「826g」であれば（図５（ｄ））、主材料の計量値と基本重量との比率(826/1000)を、副材料のそれぞれの基本重量に掛けることにより、その目標重量が算出される。即ち、「カラシ」、「サトウ」、「シオ」、「ミリン」の目標重量は、「41g」(=50g×0.826)、「112g」(=135g×0.826)、「41g」(=50g×0.826)、「25g」(=30g×0.826)と得られる。
【００４５】
目標重量表示制御部２０ｆ（図７）は、目標重量算出部２０ｅで算出された他の各材料の目標重量を表示部３０上に表示するように制御する。レシピ表示モードが選択されていれば、目標重量表示制御部２０ｆは、他の各材料の目標重量を、一覧形式で表示させる（図５（ｅ））。レシピ順次計量モードでは、目標重量表示制御部２０ｆは、操作部４０での操作（図１の決定キー４３の押下）によって、複数ある他の材料を１つずつ順に切り替えながら、各材料の目標重量を表示部３０上に表示させる（図６（ｅ））。
【００４６】
制御部２０は、次に図８のフローチャートに示す流れで、上述した各部２０ａ〜ｆにおける処理を実行することにより、レシピ表示モードでの処理を制御する。ステップ１（以下、ステップをＳと略す）では、先ず、材料データ記憶部２０ｇ内の材料データから、登録済みの全ての料理の料理名が読み出される。続くＳ２において、これら読み出された料理の一覧が、表示部３０上に表示される（図５（ａ））。
【００４７】
次に、Ｓ３において、料理名の選択のための、カーソル移動キー４５ａ，ｂ及び決定キー４３による入力が受け付けられており、Ｓ４で、決定キー４３が押されたか否かが判定される。決定キー４３の押下により、レシピ表示の対象とする料理が決定されると（Ｓ４にてＹＥＳ）、Ｓ５で、その選択された料理についての材料データから、その料理に用いられる全ての材料の材料名が読み出される。Ｓ６では、この材料名の一覧が、表示部３０上に表示され、主材料の選択が促される（図５（ｂ））。
【００４８】
続いて、Ｓ７では、上述のＳ３と同様に、主材料の選択のための、カーソル移動キー４５ａ，ｂ及び決定キー４３による入力が受け付けられている。Ｓ８で、決定キー４３が押されたことが判定されて（Ｓ８にてＹＥＳ）、主材料が決定されると、Ｓ９で、容器の計量を促すガイダンス表示が行われる（図５（ｃ））。
【００４９】
さらに、Ｓ１０では、計量部１２からの計量値の取得と、表示部３０へのその計量値の表示といった計量動作が行われ、Ｓ１１で、風袋引きキー４６が押されたか否かが判定される。ユーザが、Ｓ９でのガイダンス表示に応じて、計量皿１１上に容器を載せて、その後に風袋引きキー４６を押すと（Ｓ１１にてＹＥＳ）、Ｓ１２において、計量皿１１上に容器が載せられた状態で、計量値につき０点が設定される。
【００５０】
その後、Ｓ１３において、主材料の計量を促すガイダンス表示が表示部３０上で行われ（図５（ｄ））、続くＳ１４では、上述のＳ１０と同様に、計量動作が行われる。Ｓ１５で、決定キー４３が押されたと判定されると（Ｓ１５にてＹＥＳ）、Ｓ１６で、材料データ記憶部２０ｇ内の材料データから、材料の基本重量が読み出され、Ｓ１７で、主材料以外の他の材料の目標重量が算出される。即ち、先述したように、他の材料のそれぞれの基本重量に、主材料の計量値と基本重量との比率が掛けられることによって、他の材料のそれぞれの目標重量が算出される。
【００５１】
Ｓ１８において、主材料の計量値と、他の材料についての目標重量とが一覧表示され（図５（ｅ））、ユーザが、この表示を見て他の材料を計量可能なように、Ｓ１９では、上述のＳ１０と同様に計量動作が行われ、この計量動作は、戻るキー４４が押されるまで継続される。即ち、Ｓ２０において、戻るキー４４が押されると（Ｓ２０にてＹＥＳ）、この計量動作は終了して、処理は本レシピ表示モードから抜ける。
【００５２】
これらのレシピ表示モードでは、ユーザは、登録済みの料理の内の所望の料理を調理する際、複数の材料の内の１つの材料を主材料として選んで、これを計量皿１１に載せるだけで、その料理の他の材料の目標重量が、自動的に算出されて表示される。他の材料の目標重量についてのこれらの表示によると、ユーザの利便性が向上している。
【００５３】
例えば、ある料理について、ユーザが主材料の全てを用いたい場合、ユーザは、その主材料を計量皿１１上に載せるだけで、他の材料の目標重量を知ることができるから、ユーザは、他の材料の計量を便利に行うことができる。牛肉１塊、玉ねぎ３個、魚肉２片等のいずれかを主材料とし、これを基準に他の各材料を計量するような場合、ユーザが計算して、主材料の計量値から他の材料の目標重量を得ることは煩雑である。このような場合に、本料理用秤１での他の各材料の目標重量の表示は有効である。
【００５４】
また、制御部２０は、次に図９のフローチャートに示す流れで、各部２０ａ〜ｆにおける処理を実行することにより、レシピ順次表示モードでの処理を制御するようになっている。図９のフローチャートにおいて、図８における処理と同様の処理については、同じステップ番号（Ｓ１〜Ｓ１７）を付している。
【００５５】
図９で、Ｓ１７までの処理によって、所望の料理につき、主材料が選択されてその計量が行われ、他の材料の目標重量が算出されている。これに続くＳ２１では、他の材料の内の１つの材料について、その計量を促すガイダンス表示が行われる（図６（ｅ））。ユーザは、このガイダンス表示に応じて、計量皿１１上に容器や他の材料を載せる。Ｓ２２では、計量皿１１上の容器や他の材料について、計量部１２からの計量値の取得と、表示部３０へのその表示といった計量動作が行われるようになっている。
【００５６】
そして、Ｓ２３において、風袋引きキー４６が押されたことが検出されると（Ｓ２３にてＹＥＳ）、計量皿１１に空の容器が載せられたものとして、Ｓ２４で計量値の０点設定が行われ、Ｓ２２へと処理が戻される。また、Ｓ２５において、決定キー４３が押されたことが検出されると（Ｓ２３にてＮＯ、且つ、Ｓ２５にてＹＥＳ）、計量皿１１に他の材料が、容器を伴わず若しくは容器と共に載せられ、その計量が行われたものとして、Ｓ２６で、主材料以外の他の材料の全てについて、計量が行われたか否かが判定される。
【００５７】
Ｓ２６において、他の材料の全てが計量されているのでなければ（Ｓ２６にてＮＯ）、Ｓ２７で、目標重量を表示する対象が、次の材料に設定され、この材料について、Ｓ２１からの処理が繰り返される。つまり、Ｓ２５において、決定キー４３は、主材料以外の複数の他の材料を１つずつ順に切り替えるように指示するための手段となっており、この後のＳ２１で、その指示に応じて切り替えられた他の材料の目標重量の表示が行われる。一方、他の材料の全てが計量されていれば（Ｓ２６にてＹＥＳ）、レシピ順次計量モードでの処理は終了する。
【００５８】
これらのレシピ順次計量モードにあっても、レシピ表示モードと同様に、ユーザは、所望の料理の主材料を選んで計量皿１１に載せるだけで、他の材料の目標重量が、自動的に算出されて表示され、これによって、ユーザの利便性が向上している。特に、このレシピ順次計量モードでは、他の各材料が１つずつ表示され、計量対象が明確であるため、一の副材料について、他の副材料の目標重量分を誤って計量するといったミスが生じ難くなっている。
【００５９】
（他の実施の形態等）
以上、具体的な実施の形態により本発明を説明したが、本発明は、上記実施の形態に限定されず、本発明の要旨を逸脱しない範囲で変更して実施することができる。
ａ．  例えば、上記実施の形態において、主材料が、ユーザにより選択されるものとした。当然ながら、選択される材料は、主材料ではない他の副材料であってもよい。即ち、ユーザに複数の材料の内で任意の１つの材料を選択させ、この選択された材料について得られた、計量値と基本重量との比率を、他の材料の基本重量に掛けるようにし、これにより、他の材料の目標重量を算出する。
【００６０】
ｂ．  表示部３０に複数の料理を表示して、操作部４０からいずれか１つの料理を選択させるようにした。これとは異なり、例えば、カード状をした１つの記憶媒体に、１つの料理についての材料データが記憶されるように、料理毎に記憶媒体を構成することが可能である。この場合、料理用秤には、カード状の記憶媒体の１つを差し込んだ状態で、その記憶媒体から材料データを読み出すことが可能なデータ読出部を設ける。ユーザは、記憶媒体のいずれか１つをデータ読出部に差し込むことによって、料理を選択するというわけである。
【００６１】
ｃ．  当然ながら、主材料の計量の直前に風袋引きを必ず行うようになっておらず、図８，９のＳ９〜Ｓ１５での処理が、Ｓ２１〜Ｓ２５での処理に準ずるものとしてよい。即ち、風袋引きキー４６が押されるか、決定キー４３が押されるかによって、計量皿１１上の計量対象物が、容器であるか、材料の１つ（又は容器に入れられた材料の１つ）であるかが判断されるものとしてよい。
【００６２】
つまり、レシピ表示モード又はレシピ順次計量モードにおけるユーザの一連の操作の中で、ユーザは、容器に入れる材料と容器に入れない材料とを適宜に選択し、容器に入れる材料につき風袋引きが行われるように操作する。これによると、ユーザは、一連の操作をより便利に行うことができる。
【００６３】
ｄ．  材料データ中に主材料が何れの材料であるかを示すデータを含めておき、例えば、図５（ｅ）のように、主材料にマーキングＭを付すことによって、主材料を表すことが可能である。このようなマーキングによると、材料が多くなっても、ユーザは、主材料として計量済みのものと、主材料以外の他の材料として計量すべきものとを即座に知ることができる。
【００６４】
ｅ．  レシピ登録モードにおいて、各料理毎に材料データを登録するようにした。これとは異なり、ユーザが、材料データを、別途、ＰＣ（パーソナルコンピュータ）で入力するようにして、ＰＣ側で入力されたこの材料データを、ＰＣから料理用秤へと送信可能なように、料理用秤に通信手段を設けてもよい。ユーザは、ＰＣを用いることにより、材料データの登録をより簡便に行うことができる。もちろん、ＰＣ同士で材料データを送受信するといったことも可能である。
【００６５】
ｆ．  ユーザが調理に用いたい主材料の全量が、一度に、計量皿１１に載せられない場合も想定される。このような場合に備えて、計量継続キーといった操作キーを操作部４０内に設けることが可能である。
【００６６】
即ち、計量皿１１に、主材料の一部が載せられた状態で、ユーザがこの計量継続キーを押下すると、その主材料の一部についての計量値が記憶される。続いて、主材料の他の一部が載せられた状態で、ユーザが計量継続キーを押下すると、その主材料の他の一部についての計量値が記憶される。これらを繰り返し、最後に、ユーザが決定キーを押下すること等により、これらの計量値の合計が、主材料の全量の計量値として算出される。この算出された計量値を、主材料以外の他の材料の目標重量の算出に用いることが可能である。
【図面の簡単な説明】
【００６７】
【図１】本料理用秤の外観を示す図
【図２】料理用秤のハードウェア構成の概略を示すブロック図
【図３】動作モードの選択を促す表示部での表示画面を示す図
【図４】レシピ登録モードにおける表示画面を示す図
【図５】レシピ表示モードにおける表示画面を示す図
【図６】レシピ順次計量モードにおける表示画面を示す図
【図７】料理用秤のソフトウェア構成の概略を示すブロック図
【図８】レシピ表示モードで実行される処理の手順を示すフローチャート
【図９】レシピ順次計量モードで実行される処理の手順を示すフローチャート
【符号の説明】
【００６８】
１………………料理用秤
１１……………計量皿
１２……………計量部
２０……………制御部
２０ａ…………料理表示制御部（料理表示制御手段）
２０ｂ…………材料表示制御部（材料表示制御手段）
２０ｃ…………計量値取得部
２０ｄ…………０点設定部（０点設定手段）
２０ｅ…………目標重量算出部（目標重量算出手段）
２０ｆ…………目標重量表示制御部（目標重量表示制御手段）
２０ｇ…………材料データ記憶部
２１……………増幅器
２２……………Ａ／Ｄ変換器
２３……………マイクロプロセッサ
２４……………ＲＯＭ
２５……………ＲＡＭ
２６……………ＥＥＰＲＯＭ
３０……………表示部
４０……………操作部
４１……………電源キー
４２ａ〜ｊ……テンキー
４３……………決定キー（材料選択手段の一部、料理選択手段の一部、切替指示手段）
４４……………戻るキー
４５ａ〜ｄ……カーソル移動キー（材料選択手段の一部、料理選択手段の一部）
４６……………風袋引きキー（０点設定指示手段）
４７……………モード選択キー
【図１】
0005079476.tif 000002
【図２】
0005079476.tif 000003
【図３】
0005079476.tif 000004
【図４】
0005079476.tif 000005
【図５】
0005079476.tif 000006
【図６】
0005079476.tif 000007
【図７】
0005079476.tif 000008
【図８】
0005079476.tif 000009
【図９】
0005079476.tif 000010